(57)【要約】  本発明は、人間工学的及び経済的利益の両方を提供するための３次元格子フレームワーク構造を有する剃毛カミソリ用ハンドルに関する。
2020507411.tif 000002
【特許請求の範囲】
【請求項１】
長手方向（Ｌ）に延在する細長い本体（５）を備える剃毛カミソリハンドル（４）であって、前記本体の一部分が、３次元格子フレームワーク構造（６）から形成されている、剃毛カミソリハンドル（４）。
【請求項２】
前記構造（６）が、前記ハンドル（４）の有効密閉体積及び実体積を有し、前記開放フレーム構造の前記有効密閉体積対前記実体積の比率が２０％〜８０％、好ましくは２５％〜５０％である、請求項１に記載の剃毛カミソリハンドル（４）。
【請求項３】
前記本体（５）が、近位端部（７）と末端部（８）との間で長手方向に延在し、前記近位端部（７）が接続手段（９）を備える、請求項１に記載の剃毛カミソリハンドル（４）。
【請求項４】
前記本体（５）が、少なくとも３つ、好ましくは少なくとも４つの長手方向延在部材（１３）を備える、請求項１〜３のいずれか一項に記載の剃毛カミソリハンドル（４）。
【請求項５】
前記長手方向延在部材（１３）が、湾曲しているか、又は実質的に直線状である、請求項１〜４のいずれか一項に記載の剃毛カミソリ（４）。
【請求項６】
前記長手方向延在部材（１３）が相互接続されている、請求項１〜５のいずれか一項に記載の剃毛カミソリハンドル（４）。
【請求項７】
前記長手方向延在部材（１３）が、少なくとも４つ、好ましくは少なくとも６つの垂直延在部材（１４）によって相互接続されている、請求項４に記載の剃毛カミソリハンドル（４）。
【請求項８】
前記長手方向延在部材（１３）が、実質的に円形の断面又は楕円形の断面を有する、請求項４に記載の剃毛カミソリハンドル（４）。
【請求項９】
前記長手方向延在部材（１３）及び前記垂直延在部材（１４）が、相互接続点（１５）で互いに相互接続されている、請求項７に記載の剃毛カミソリハンドル（４）。
【請求項１０】
少なくとも１つの長手方向延在部材（１３）が、隣接する長手方向部材（１４）と相互接続されている、請求項４及び７に記載の剃毛カミソリハンドル（４）。
【請求項１１】
少なくとも２つの隣接する長手方向延在部材（１３）が、互いに実質的に平行である、請求項４に記載の剃毛カミソリハンドル（４）。
【請求項１２】
前記本体（５）が、格子フレームワーク構造（６）から実質的に完全に形成されている、請求項１〜１１のいずれか一項に記載の剃毛カミソリハンドル（４）。
【請求項１３】
前記格子フレームワーク構造（６）が、少なくとも８個の相互接続された開口を備える、請求項１〜１２のいずれか一項に記載の剃毛カミソリハンドル（４）。
【請求項１４】
前記ハンドル（４）は、ネック部（１０）及び前記ネック部（１０）から延在する前記長手方向延在部材（１３）を更に備える、請求項４に記載の剃毛カミソリハンドル（４）。
【請求項１５】
前記長手方向延在部材（１３）が、前記末端部（８）において相互接続している、請求項４に記載の剃毛カミソリハンドル。
【請求項１６】
前記本体が、射出成形又は鋳造によって形成されている、請求項１〜１５のいずれか一項に記載の剃毛カミソリハンドル（４）。
【請求項１７】
前記本体（５）の前記一部分が、ポリプロピレン、アクリロニトリルブタジエンスチレン、高衝撃ポリスチレン、ポリカーボネート、ポリフェニレンエーテル／ポリスチレンブレンド、金属、炭素繊維、及び／又はこれらの混合物を含む、請求項１〜１６のいずれか一項に記載の剃毛カミソリハンドル（４）。
【請求項１８】
前記本体（５）が、亜鉛、アルミニウム、ステンレス鋼、チタン、黄銅、炭素繊維、及び／又はこれらの混合物を含む、請求項１に記載の剃毛カミソリハンドル（４）。
【発明の詳細な説明】
【技術分野】
【０００１】
本発明は、ハンドルを製造するのに必要な材料の量を低減し、それによってその持続可能性及び製造コストを改善しつつ、設計及び機能性の両方の観点から消費者に望ましい人間工学を提供するカミソリのためのハンドルに関する。
【背景技術】
【０００２】
消費財産業が直面している重要な課題は、廃棄物の削減である。これは、持続可能性及び製造コストの両方の観点から重要である。この問題に対処するために考慮されている１つの選択肢は、製品を製造するのに必要な原材料の量を低減することである。カミソリなどの除毛製品の分野では、大量の材料がハンドル部分の製造に利用される。ハンドルの主な目的は、刃ユニットへの人間工学的制御を提供し、それによって快適かつ効果的な剃毛体験を可能にする、消費者に望ましいハンドルを提供することである。しかしながら、刃ユニット又はカートリッジは、限られた寿命を有し、これは典型的にはハンドルの寿命よりも短い。その結果、製品の寿命の終わりにおいて、材料は、機能的ハンドルの廃棄によって浪費される。
【０００３】
したがって、ハンドルを製造するために利用される材料の量を低減しつつ、心地良い剃毛体験を実現するために、取り扱いの容易さ、人間工学的及び審美的魅力の観点から消費者が所望する機能性を提供する、カミソリハンドルを提供する必要性が存在する。
【０００４】
カミソリハンドルは、典型的には、熱可塑性材料又は金属及び／若しくは合金をそれぞれ典型的に利用する射出成形又はダイカストプロセスを使用して製造される。これらの方法によって生成される中実体は、その後、ハンドルの人間工学的及び審美的魅力を維持しながら、余分な材料を除去するために、続いてシェルアウトされ得る。シェルアウトプロセスは、ハンドル内の空隙若しくは空洞の形成、又はハンドル本体を通じた開口の形成をもたらし得る。これにより、これらの空隙又は開口は、例えば国際公開第２０１５／１２８０００号に記載されているように、消費者の把持、剛性、及び又はバランスを改善し得るリブなどの消費者に関連する特徴を作り出し得る。例えば、Ｗａｌｇｒｅｅｎ’ｓ  Ｓｕｎｎｙ  Ｓｍｉｌｅ、Ｓｃｈｉｃｋ  Ｘｔｒｅｍｅ３  ｅｃｏ及びＳｉｍｐｌｙ  Ｖｅｎｕｓ  Ｄｉｓｐｏｓａｂｌｅなど、現在市販されているいくつかの製品が存在する。あるいは、製造業者は、利用される材料の量を低減するために、全体のデザインがより小さい使い捨てカミソリを提供している。
【０００５】
それでもなお、これらの製品は、消費者が所望する剛性及び使用中の安定性を確実にするために、大量の材料をハンドルに利用している。更に、製品の製造は、結果として、追加のシェルアウトプロセスにより、より複雑かつ高価である。
【０００６】
当技術分野において記載される別の代替案は、ハンドル用の中空管状構造体を製造することである。この管の壁は、ある程度の構造的機能を維持しながら非常に薄くでき、その結果、利用される材料の量を大幅に低減し得る。しかしながら、この構成方法及び得られるハンドルには不都合な点がある。第１に、この形態は、特にハンドルの部品を射出成形する際に、製造上の問題を生じさせる。例えば、管のディープコアは、射出金型設計において著しい冷却問題をもたらし、生産コストを増加させることがある。第２に、消費者は、ハンドルの視覚的外観から、その実際の重量よりも製品がかなり重いという予想をしてしまう可能性がある。更に、消費者の要望は、持続可能でありかつ廃棄物を最小化する審美的に心地良い機能的なハンドルでありながら、軽量であるが故に安価でかつ低品質とは認識されない製品の要望、というように対立する。
【先行技術文献】
【特許文献】
【０００７】
【特許文献１】国際公開第２０１５／１２８０００号
【発明の概要】
【課題を解決するための手段】
【０００８】
本発明は、長手方向（Ｌ）に延在する細長い本体を備える剃毛カミソリハンドルに関し、この本体の一部分は、３次元格子フレームワーク構造から形成される。
【図面の簡単な説明】
【０００９】
【図１ａ】本発明の第１の実施形態の斜視図を示す。
【図１ｂ】本発明の第１の実施形態の上面図を示す。
【図１ｃ】本発明の第１の実施形態の側面図を示す。
【図２ａ】本発明の第２の実施形態の斜視図を示す。
【図２ｂ】本発明の第２の実施形態の上面図を示す。
【図２ｃ】本発明の第２の実施形態の側面図を示す。
【図３ａ】本発明の第３の実施形態の斜視図を示す。
【図３ｂ】本発明の第３の実施形態の上面図を示す。
【図３ｃ】本発明の第３の実施形態の側面図を示す。
【図４ａ】本発明の第４の実施形態の斜視図を示す。
【図４ｂ】本発明の第４の実施形態の上面図を示す。
【図４ｃ】本発明の第４の実施形態の側面図を示す。
【図５ａ】本発明の第５の実施形態の斜視図を示す。
【図５ｂ】本発明の第５の実施形態の上面図を示す。
【図５ｃ】本発明の第５の実施形態の側面図を示す。
【図６ａ】本発明の第６の実施形態の正面図及び背面図を示す。
【図６ｂ】本発明の第６の実施形態の正面図及び背面図を示す。
【図６ｃ】本発明の第６の実施形態の正面図及び背面図を示す。
【図７ａ】第６の実施形態の斜視図を示す。
【図７ｂ】第６の実施形態の有効体積の表現を示す。
【図８ａ】本発明の第７の実施形態の斜視図を示す。
【図８ｂ】本発明の第７の実施形態の上面図を示す。
【図８ｃ】本発明の第７の実施形態の側面図を示す。
【図９】以下で利用できる第１の先行技術のハンドルの斜視図を示す：ｈｔｔｐ：／／ｏｒａｌｉｎｅ．ｎｅｔ／Ｓｅｃｕｒｅ／Ｒａｚｏｒ／Ｓｅｃｕｒｉｔｙ＿Ｒａｚｏｒ。
【図１０】以下で利用できる第２の先行技術のハンドルであるＳｕｎｎｙ  ｓｍｉｌｅ  ｔｒｉｐｌｅ  ｂａｌｄｅ  ｒａｚｏｒの斜視図を示す：ｈｔｔｐｓ：／／ｗｗｗ．ｗａｌｇｒｅｅｎｓ．ｃｏｍ／ｓｔｏｒｅ／ｃ／ｓｕｎｎｙ−ｓｍｉｌｅ−ｍｅｎ’ｓ−ｔｒｉｐｌｅ−ｂｌａｄｅ−ｒａｚｏｒｓ／ＩＤ＝ｐｒｏｄ６１７２０７７−ｐｒｏｄｕｃｔ。
【図１１】第３の先行技術のハンドルであるＳｃｈｉｃｋ  Ｘｔｒｅｍｅ３  ｅｃｏの図の上面図を示す。
【発明を実施するための形態】
【００１０】
本発明は、ハンドルの本体の少なくとも一部分を提供するために、構造工学で使用される３次元格子フレームワーク構造又は空間フレームを備える剃毛カミソリ用ハンドルに関する。格子フレームワーク構造又は空間フレームは、中実の構造体と同等の機能的剛性を提供するが、接続された部材の網によって提供される。その結果、格子フレームワーク又は空間フレームは、剛性の３次元体積を形成する一方で、中実の等価物よりも必要な材料が著しく少ない。したがって、本発明では、格子フレームワーク構造又は空間フレームは、中実又は半中実構造と同等の体積を有する人間工学的に機能的なカミソリハンドルを提供し、それによって、現在のカミソリハンドルと同等又は改善された機能的利益を提供するが、使用する材料がはるかに少ない。加えて、ハンドルは、使用中及び使用後の両方で、改善された把持及びすすぎの容易さの両方をもたらす。
【００１１】
ハンドル
本発明によれば、剃毛カミソリ用ハンドル（２）は、長手方向（Ｌ）に延在する細長い本体（５）を備える。図１、図２及び図３を参照すると、本体は、ハンドル（４）の近位端部（７）と末端部（８）との間で長手方向に延在する。ハンドル（４）は、ネック部（１０）と、中間部（１１）と、テール部（１２）と、を備えてもよい。ネック部（１０）は、近位端部（７）に位置してもよく、テール部（１２）は、末端部（８）に位置してもよく、存在する場合、中間部（１１）は、ネック部（１０）とテール部（１２）との間に位置してもよい。
【００１２】
ハンドル（４）は、典型的には、後述する除毛ヘッド（２）にハンドル（４）を接続するための接続手段（９）を備える。接続手段（９）は、ハンドル（４）を除毛ヘッド（２）に恒久的に接続してもよく（例えば、図８ａ、図８ｂ及び図８ｃに示すように）、又は別の除毛ヘッドとの交換を可能にするために着脱可能に接続してもよい。接続手段（９）は、典型的には、ハンドル（４）のネック部（１０）に位置し、除毛ヘッド（２）に隣接している。
【００１３】
ハンドル（４）は、任意の形状又は形態で提供されてもよいが、消費者による取り扱いを容易にするために３次元及び人間工学的であることが好ましい。ハンドルは、対称であっても非対称であってもよく、対称的な形態であることが好ましい。一実施形態では、ハンドルは、湾曲形状を有する。
【００１４】
本発明によれば、ハンドルの本体の少なくとも一部分は格子フレームワーク構造を備える。（６）この一部分は、ハンドル（４）のネック部（１０）、中間部（１１）、及びテール部（１２）のうちのいずれか１つ又はそれらの組み合わせに位置してもよい。一実施形態では、格子フレームワーク構造（６）は、少なくとも中間部（１１）に位置する（実施形態１〜６及び８に示すように。別の実施形態では、格子フレームワーク構造（６）は、テール部（１２）に位置する。更に別の実施形態では、格子フレームワーク構造（６）は、ハンドルのネック部（１０）、中間部（１１）、及びテール部（１２）に位置する。更に別の実施形態では、格子フレーム構造（６）は、ネック部（１０）に位置する。更に別の実施形態では、本体（５）は、実質的に完全に格子フレームワーク構造（６）から形成されてもよい。別の実施形態では、本体は、格子フレームワーク構造（６）に加えて、従来の中実体の形態又は中実のシェル体若しくは中空体の形態から形成された部分を有してもよい。
【００１５】
本明細書で使用するとき、３次元格子フレームワーク構造又は空間フレームという用語は、負荷の印加時に３次元的に力が伝達されるように、かつ少なくとも２つの直交面から見たときに、格子の部材及び部材間の空隙の開口が見えるように網を形成する、要素から組み立てられた又は形成された構造システムである。したがって、本明細書で使用するとき、３次元という用語は、好ましくは、約４ｍｍ×４ｍｍ×２０ｍｍ、好ましくは約１２ｍｍ×１２ｍ×１３０ｍｍの最小寸法を少なくとも有するハンドルを指す場合がある。巨視的には、空間フレームは、平坦又は湾曲した表面の形態をとってもよい。したがって、３次元格子構造は、連続表面とは対照的に複数の開口を形成し、それによって有効な密閉体積を形成し、構造的一体性を提供する、要素の網から構成される。先行技術に示すように、実質的に平坦な又は２次元のフレームワーク（例えば、図９を参照）は、本明細書で定義されるような３次元格子フレーム構造と見なされない。同様に、図１０及び図１１に示されるような中実体のシェルアウト区域を有するハンドルもまた、３次元格子フレームワーク構造と見なされない。
【００１６】
別の実施形態では、ハンドル（４）の本体（５）は、２つ以上の格子、好ましくは２つ、より好ましくは３つのフレームワーク構造（６）を備えてもよい。各格子フレームワーク構造は、同一の又は固有の構成を有し得る。２つ以上の格子構造フレームワークを備える実施形態は、例えば、中実体スペーサの形態などの格子フレームワーク構造を含まない本体の一区域を提供することによって互いに分離され得る。３次元格子フレームワーク構造は、ハンドルの本体の体積の５％〜１００％、又は１０％〜９０％、又は４０％〜８０％を構成し得る。
【００１７】
本体部（５）内に存在する各格子フレームワーク（６）は、実施形態１、２及び３及び実施形態４、５、６及び７にそれぞれ示すように、少なくとも３つ、好ましくは少なくとも４つの長手方向延在部材（１３）を独立して備えてもよい。一実施形態では、長手方向延在部材（１３）は、ハンドルのネック部（１０）からハンドルのテール部（１２）まで延在してもよい。あるいは、長手方向部材（１３）は、ネック部（１０）から中間部（１１）まで延在してもよく、又は中間部内若しくは中間部からテール部（１２）まで延在してもよい。
【００１８】
長手方向延在部材（１３）はそれぞれ、独立して湾曲又は実質的に直線状であってもよい。長手方向延在部材（１３）の少なくとも２つは、互いに実質的に平行であってもよい。別の実施形態では、長手方向延在部材（１３）のうちの少なくとも２つは、鏡面を中心として互いに鏡像である。
【００１９】
一実施形態では、長手方向延在部材（１３）は、材料の使用を低減しながら、ハンドルに所望の人間工学的及び審美的魅力を持ち得る格子フレームワークを形成するために互いに相互接続される。一実施形態では、各長手方向延在部材（１３）は、少なくとも１つの隣接する長手方向延在部材（１３）と相互接続される。別の実施形態では、少なくとも２つの隣接する長手方向延在部材（１３）は、互いに相互接続される。
【００２０】
一実施形態では、各長手方向延在部材（１３）は、少なくとも１つ、好ましくは少なくとも２つの水平／垂直延在部材（１４）によって、隣接する長手方向延在部材と相互接続される。各長手方向延在部材は、それぞれの相互接続点において、好ましくは水平／垂直延在部材（１４）によって、隣接する長手方向延在部材と相互接続してもよい。一実施形態では、２つの隣接する長手方向延在部材（１３）は、ハンドル（４）の本体（５）のネック部（１０）及び／又はテール部（１２）で交差及び／又は接続する。本明細書で使用するとき、接続される又は相互接続されるという用語は、相互接続点で互いに機械的又は化学的に恒久的に接合される２つ以上の部材を指す。好適な機械的手段としては、機械的ピン留め、リベット留め、又はボルト留めが挙げられる。好適な化学的手段としては、化学的、熱的、又は超音波的な結合が挙げられる。これらの相互接続点（１５）は、製造プロセス自体の間に、それぞれの部材間の相互接続点が形成される単位体を製造する製造プロセスの一部として形成されてもよい。
【００２１】
したがって、各格子フレームワーク構造（６）は、独立して、少なくとも２個、好ましくは少なくとも３個、より好ましくは少なくとも６個、更により好ましくは少なくとも１０個の垂直／水平延在部材（１４）を備えてもよい。
【００２２】
一実施形態では、単一の垂直延在部材（１４）は、図４ａ、ｂ、ｃ及び図５ａ、ｂ、ｃ及び図６ａ、ｂ、ｃ及び図８ａ、８ｂ、８ｃに示すように、２つ超、好ましくは少なくとも３つ、より好ましくは少なくとも４つの長手方向延在部材（１３）を相互接続してもよい。
【００２３】
本明細書で使用するとき、垂直延在部材（１４）という用語は、長手方向部材に対して必ずしも水平又は垂直ではなく、好ましくは２つのそのような部材を相互接続する部材を含む。
【００２４】
別の実施形態では、垂直延在部材（１４）は、例えば実施形態１〜６及び８に示すように、隣接する垂直延在部材と相互接続してもよい。
【００２５】
長手方向及び垂直延在部材は、任意の断面構成を有してもよい。一実施形態では、部材は、それぞれの長さに沿って均一な断面を有する。一実施形態では、長手方向及び水平方向延在部材は、実質的に均一な円形断面又は楕円形の断面を有してもよい。長手方向部材は、中空又は充填された又は中実であってもよい。
【００２６】
各格子フレームワーク構造（６）は、少なくとも４個、好ましくは少なくとも８個、より好ましくは少なくとも１０個、又はより好ましくは少なくとも１６個、又はより好ましくは少なくとも２０個の開口を備えてもよい。このような開口は、長手方向延在部材と垂直延在部材との交点によって形成される。このような開口は、格子構造フレーム構造の規則的な繰り返しパターンを形成してもよく、又は不規則であってもよい。開口は、任意の形状又はサイズを有してもよく、約１ｍｍ×１ｍｍ〜約７０ｍｍ×１３ｍｍの範囲の寸法を有してもよい。
【００２７】
格子フレームワーク構造を組み込んだハンドルは、結果として、ハンドルの有効密閉体積と、使用される材料の実体積とを有する。以下において百分率体積と称される、開放フレーム構造の有効密閉体積対実体積の比率は、２０％〜８０％、好ましくは２５％〜５０％である。
【００２８】
百分率体積は、部品が有効体積を占める実体積の材料を分割することによって計算される。これは、コンピュータ支援設計（computer aided design、ＣＡＤ）ソフトウェア（Ｄａｓｓａｕｌｔ  Ｓｙｓｔｅｍｓ  Ｓｏｌｉｄｗｏｒｋｓなど）を使用して決定される。第１に、ソフトウェアは、部品を生成するために使用される材料の体積を計算し、実体積を決定する。第２に、コンピュータモデルは、有効体積を表すように修正される。これは、ＣＡＤ内の部品から中実体を形成して有効体積を形成し、ソフトウェアを使用してこの体積を計算することによって達成される。これは、カミソリのハンドルのハンドル／細長い本体（有効体積モデル及び実体積モデルの両方についてカートリッジ値が同じとなるため、カミソリカートリッジではない）について評価した。
【００２９】
例えば、大部分が直方体のハンドル形状の例では、実体積は、レール及び支柱を形成する材料の体積、すなわちフレームワークの長手方向及び垂直延在部材である。有効体積は、フレームワークの最も外側の範囲によって包囲することによって、このハンドルの中実形状を形成することによって形成される直方体の体積となる。これは図７ａ及び図７ｂに示されており、３１．９％である。
【００３０】
一実施形態では、ハンドル（４）は、例えば図４ａ、４ｂ、４ｃ、図５ａ、５ｂ、５ｃ及び図８ａ、８ｂ、８ｃに示すように、使用時にカミソリハンドルの消費者制御を改善するために、指置き部（２０）を更に備えてもよい。指置き部は、ハンドルの本体上の任意の好適な位置に位置してもよい。典型的には、指置き部（２０）は近位端部（８）に位置し、ネック部（１０）に位置してもよい。指置き部は、消費者が適切な位置に指（複数可）を位置させるのを助けるために、へこみ及び／又は視覚的若しくは触覚的キューを有してもよい。
【００３１】
ハンドル（４）は、当技術分野で知られている任意の好適な材料から形成されてもよい。一実施形態では、格子フレームワーク構造を備える本体部は、ポリプロピレン、アクリロニトリルブタジエンスチレン、高衝撃ポリスチレン、ポリカーボネート、ポリフェニレンエーテル／ポリスチレンブレンドなどの熱可塑性材料；金属、又は亜鉛、アルミニウム、鋼、チタン、ステンレス鋼、黄銅などの合金；炭素繊維、及び／又はこれらの混合物から形成される。ハンドルは、典型的には、１ｇ〜３５ｇ、好ましくは２ｇ〜１５ｇ、最も好ましくは１ｇ〜５ｇの重量を有する。最も好ましい重量範囲は、典型的には、ハンドル製造のために熱可塑性材料を利用するときに提供される。
【００３２】
製造方法
剃毛カミソリハンドル及びその本体は、当技術分野において既知の任意の方法を用いて製造されてもよい。好適な方法としては、射出成形及びダイカスト、並びに任意選択的に添加剤又はサブトラクティブ製造技術が挙げられる。
【００３３】
除毛ヘッド
本発明のいくつかの実施形態によれば、ハンドル（２）は、除毛ヘッド（２）を備える。除毛ヘッド（２）は、脱毛剤と共に除毛装置などが使用される幅広の掻き取り面を含むことができ、又は装置が剃毛カミソリの場合、カミソリカートリッジ又はカミソリ箔とすることができる。除毛ヘッドは、交換可能及び／又は駆動可能にカートリッジ連結構造体へ、そして順番に又は独立して（例えば、完全に固定して）ハンドルに接続されてよい。いくつかの実施形態では、カートリッジ連結構造体は、除毛ヘッドを解除可能に係合するために少なくとも１つのアームを含む。
【００３４】
除毛ヘッド（２）は、通常第１の末端部と第２の末端部との間に位置する１つ以上の細長い刃を含み、かかる１つ以上の細長い刃は、かかる第１の末端部に向かって延びる先端部を典型的に備える。除毛ヘッドがカミソリカートリッジの場合、１つ以上の細長い刃（edges）は刃（blades）（３）を含むことができる。例えば、米国特許第７，１６８，１７３号は、Ｔｈｅ  Ｇｉｌｌｅｔｔｅ  Ｃｏｍｐａｎｙから市販され、複数の刃を有するカミソリカートリッジを含む、Ｆｕｓｉｏｎ（登録商標）カミソリを概して説明している。更に、カミソリカートリッジは、ガード及び皮膚係合部材を含んでよい。様々なカミソリカートリッジを本発明に基づいて使用することができる。フィン、ガード、及び／又は剃毛補助剤を伴い、かつこれらを伴わない好適なカミソリカートリッジの非限定的な例には、Ｔｈｅ  Ｇｉｌｌｅｔｔｅ  ＣｏｍｐａｎｙによってＦｕｓｉｏｎ（登録商標）、Ｖｅｎｕｓ（登録商標）製品ラインで販売されるもの、並びに米国特許第７，１９７，８２５号、同第６，４４９，８４９号、同第６，４４２，８３９号、同第６，３０１，７８５号、同第６，２９８，５５８号、同第６，１６１，２８８号、及び米国特許出願公開第２００８／０６０２０１号に開示されるものが挙げられる。当業者であれば、潤滑性部材を、２枚、３枚、４枚若しくは５枚の刃を有するものを含む、任意の現在販売されているシステム又は使い捨てカミソリと共に使用することができることを理解するであろう。このような場合、除毛装置はカミソリであり、除毛ヘッドはカミソリカートリッジであり、かつ１つ以上の細長い刃（edges）は刃（blades）である。除毛装置の他の実施例は、除毛組成物、すなわち脱毛剤と共に使用するための掻き取り具である。
【００３５】
いくつかの実施形態では、少なくとも１つの潤滑性部材は、除毛プロセス中に皮膚と接触するカートリッジの部分上の、刃の前方及び／又は後方に位置する。１つ以上の細長い刃の「前方」にある機構は、例えば、除毛装置で処理される表面が細長い刃と接触する前にその機構に接触するように配置される。細長い刃の「後方」にある機構は、除毛装置で処理される表面が細長い刃と接触した後にその機構に接触するように配置される。２つ以上の潤滑性部材が除毛装置上に提供される場合、潤滑性部材は、物理的形状／構造及び／又は化学組成の点において同じ（同一）でも異なっていてもよく、また潤滑性部材の１つ以上がスプレーコーティングされた粒子を含んでもよい。
【００３６】
いくつかの特定の実施形態では、同じ組成を備る又は異なる組成を備える第１の皮膚係合部材を有する、複数の（例えば、２つ、第１及び第２の）潤滑性部材が除毛ヘッド上に提供され得る。これらの潤滑性部材は、細長い刃（例えば、カミソリカートリッジの刃）の前方又は後方に集合的に（例えば、互いに隣接して）、例えば並べて、又は１つが細長い刃の前方で他方が後方になるように個別に、配置されもよい。
【００３７】
潤滑性部材は、接着剤などの好適な取り付け手段を利用して自立していてよく、又は容器内部に少なくとも部分的に収容されていてよい。
【００３８】
いくつかの実施形態では、カートリッジは、ユーザーの皮膚に係合するための少なくとも１つの細長い可撓性突出部を備えるガードを含む。少なくとも１つの可撓性突出部は、かかる１つ以上の細長い刃に対して一般的に平行な可撓性フィンを含んでよい。かかる少なくとも１つの可撓性突出部は、かかる１つ以上の細長い刃に対して概して平行ではない少なくとも１つの部分を備える可撓性フィンを、追加的に又は代替的に備える場合がある。好適なガードの非限定的な例としては、現在のカミソリ刃で用いられているものが挙げられ、また、米国特許第７，６０７，２３０号及び同第７，０２４，７７６号（エラストマーの／可撓性のフィンバーを開示する）、米国特許出願公開第２００８／００３４５９０号（湾曲したガードフィンを開示する）、同第２００９／００４９６９５（Ａ１）号（上面と下面との間に延在する少なくとも１つの経路を形成するガードを有するエラストマーのガードを開示する）に開示されているものが挙げられる。いくつかの実施形態では、上記の潤滑性部材は、カートリッジ上でガードの後方及び上記の細長い刃の前方に配置される。別の実施形態では、潤滑性部材は、カートリッジ上のガードの前方に配置される。本実施形態は、ガードと接触する前に潤滑性部材を供給するのに特に有用であり得る。
【００３９】
例示的な実施形態
ここで、本発明を、本発明の特定の例示的な実施形態を参照して更に説明する。
【００４０】
図１ａ、図１ｂ、及び図１ｃは、本発明の第１の実施形態を示す。実施形態は、近位端部（７）及び末端部（８）を備える細長い本体（５）を備えるハンドル（４）を備える。近位端部（７）は、カミソリカートリッジ（図示せず）の取り付けを可能にする接続手段（９）を有する。ハンドル（４）は、ネック部（１０）内の中実体区域からテール部（１２）まで延在する、３つの長手方向延在部材（１３）を備える。長手方向部材（１３）のうちの２つは、本体（５）の上部（１６）を形成し、かつ同じ平面内にあり、残りの長手方向部材（１３）は、残りの２つの部材の間に位置し、かつ本体の後部（１８）を形成してＶ字状形状構成を提供する。長手方向延在部材（１３）は、相互接続点（１５）においてネック部（１０）及びテール部（１２）でそれぞれ相互接続されている。ハンドル（４）は、相互接続点（１５）において長手方向延在部材（１３）と相互接続する複数の垂直延在部材（１４）を更に備える。各長手方向部材（１３）は、少なくとも１つの隣接する長手方向部材（１３）に接続される。垂直延在部材（１４）は、隣接する垂直部材と相互接続されて、ダイヤモンド形状の格子形態を形成する。
【００４１】
図２ａ、図２ｂ、及び図２ｃは、実施形態１に基づく本発明の第２の実施形態を示し、垂直延在部材（１３）は、ハニカム形状の格子形態を形成する代替構成を示す。
【００４２】
図３ａ、図３ｂ、及び図３ｃは、実施形態１に基づく本発明の第３の実施形態を示し、垂直延在部材（１３）は、上部（１６）内の各長手方向部材（１３）から後部（１８）内の長手方向部材（１３）まで延在する、６つのこのような垂直延在部材を含む代替的な構成を示す。
【００４３】
図４ａ、図４ｂ、及び図４ｃは、本発明の第４の実施形態を示す。実施形態は、近位端部（７）と末端部（８）とを備える細長い本体（５）を備えるハンドル（４）を備えるカミソリ（１）を備える。近位端部（７）は、ハンドル（４）をカミソリカートリッジ（２）に取り付けるための接続手段（９）を有する。ハンドル（４）は、ネック部（１０）内の中実本体区域（１９）からテール部（１２）まで延在する、４つの長手方向延在部材（１３）を備える。長手方向部材（１３）のうちの２つは、本体（１６）の上部を実質的に形成し、残りの２つの長手方向部材は、残りの２つの部材の間に位置し、本体（１８）の後部を形成する。長手方向延在部材（１３）は、相互接続点（１５）においてネック部（１０）及びテール部（１２）でそれぞれ相互接続されている。ハンドル（４）は、相互接続点（１５）において長手方向延在部材（１３）と相互接続する複数の垂直延在部材（１４）を更に備える。各長手方向部材（１３）は、少なくとも１つの隣接する長手方向部材（１３）に接続される。上部（１６）を形成する２つの部材は、互いに直接相互接続されていない。垂直延在部材（１４）はまた、隣接する部材と相互接続されている。ハンドルは、湾曲した全体的構成を呈する。ネック部（１０）は、更に、中実体区域（１９）に位置する指置き部（２０）を有する。
【００４４】
図５ａ、５ｂ、及び５ｃは、本発明の第５の実施形態を示す。実施形態は、近位端部（７）と末端部（８）とを備える細長い本体（５）を備えるハンドル（４）を備えるカミソリ（１）を備える。近位端部（７）は、ハンドル（４）をカミソリカートリッジ（２）に取り付けるための接続手段（９）を有する。ハンドル（４）は、ネック部（１０）内の中実本体区域（１９）からテール部（１２）まで延在する、４つの長手方向延在部材（１３）を備える。長手方向部材（１３）のうちの２つは、本体（５）の上部（１６）を実質的に形成し、残りの２つの長手方向部材（１３）は、残りの２つの部材の間に位置し、本体の後部（１８）を形成する。長手方向延在部材（１３）は、相互接続点（１５）においてネック部（１０）及びテール部（１２）でそれぞれ相互接続されている。ハンドル（２）は、相互接続点（１５）において長手方向延在部材（１３）と相互接続する複数の垂直延在部材（１４）を更に備える。各長手方向部材（１３）は、少なくとも１つの隣接する長手方向部材（１３）に接続される。上部（１６）を形成する２つの部材は、互いに直接相互接続されていない。垂直延在部材（１４）はまた、隣接する部材と相互接続されている。ハンドルは、湾曲した全体的構成を呈する。ネック部（１０）は、更に、中実体区域（１９）に位置する指置き部（２０）を有する。この実施形態は、開放フレーム構造の有効密閉体積対実体積の比率４５．７％、及び熱可塑性材料から形成されるときの重量２．５ｇ〜２．９ｇを有する。
【００４５】
図６ａ、図６ｂ、及び図６ｃは、本発明の第６の実施形態を示す。実施形態は、近位端部（７）及び末端部（８）を備える細長い本体（５）を備えるハンドル（２）を備える。近位端部（７）は、ハンドル（４）をカミソリカートリッジ（２）に取り付けるための接続手段（９）を有する。ハンドル（４）は、ネック部（１０）内の中実本体区域（１９）からテール部（１２）まで延在する、４つの長手方向延在部材（１３）を備える。長手方向部材（１３）のうちの２つは、本体の上部（１６）を実質的に形成し、残りの２つの長手方向部材（１３）は、本体の後部（１８）から位置付けされる。長手方向延在部材（１３）は、ネック部（１０）においてそれぞれ相互接続されている。上部（１６）の長手方向延在部材（１３）は、相互接続点（１５）において後部（１８）の末端部（８）において互いに相互接続されている。同様に、後部（１８）の長手方向延在部材（１３）は、相互接続点（１５）においてテール部（１２）の末端部（８）において互いに相互接続されている。ハンドル（４）は、相互接続点（１５）において長手方向延在部材（１３）と相互接続する複数の垂直延在部材（１４）を更に備える。各長手方向部材（１３）は、少なくとも１つの隣接する長手方向部材（１３）に接続される。垂直延在部材（１４）はまた、隣接する部材と相互接続されている。ネック部（１０）は、更に、中実体区域（１９）に位置する指置き部（２０）を有する。この実施形態は、開放フレーム構造の有効密閉体積対実体積の比率３１．９％、及び熱可塑性材料から形成されるときの重量２．４ｇ〜２．８ｇを有する。
【００４６】
図８ａ、図８ｂ、及び図８ｃは、本発明の第７の実施形態を示す。実施形態は、近位端部（７）と末端部（８）とを備える細長い本体（５）を備えるハンドル（４）を備えるカミソリ（１）を備える。近位端部（７）は、ハンドル（４）をカミソリカートリッジ（２）に取り付けるための接続手段（９）を有する。ハンドル（４）は、ネック部（１０）内の中実本体区域（１９）からテール部（１２）まで延在する、４つの長手方向延在部材（１３）を備える。長手方向部材（１３）のうちの２つは、本体（５）の上部（１６）を実質的に形成し、残りの２つの長手方向部材（１３）は、残りの２つの部材の間に位置し、本体の後部（１８）を形成する。長手方向延在部材（１３）は、相互接続点（１５）においてネック部（１０）及びテール部（１２）でそれぞれ相互接続されている。ハンドル（２）は、相互接続点（１５）において長手方向延在部材（１３）と相互接続する複数の垂直延在部材（１４）を更に備える。各長手方向部材（１３）は、少なくとも１つの隣接する長手方向部材（１３）に接続される。垂直延在部材（１４）はまた、隣接する部材と相互接続されている。ハンドルは、湾曲した全体的構成を呈する。ネック部（１０）は、更に、中実体区域（１９）に位置する指置き部（２０）を有する。この実施形態は、熱可塑性材料から形成されるときの重量２．１ｇ〜２．４ｇを有する。
【００４７】
図９、図１０及び図１１は、市販されているか又はインターネット上に記載されている先行技術のカミソリハンドルの図を示す。図９は、本明細書で定義される２次元ハンドルを示しているが、図１０及び１１は、コアアウト区域を有するハンドルを示す。
【００４８】
本明細書に開示される寸法及び値は、列挙された正確な数値に厳密に限られるとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味することが意図される。
【００４９】
相互参照される又は関連特許若しくは出願のいずれをも含めた、本明細書に引用されている全ての文書は、明示的に除外される、又は特に限定されない限り、その全体が本明細書に参照として組み込まれる。いかなる文献の引用も、本明細書中で開示又は特許請求される任意の発明に対する先行技術であるとはみなされず、あるいはそれを単独で又は他の任意の参考文献と組み合わせたときに、そのような任意の発明を教示、示唆、又は開示するとはみなされない。更に、本文書における用語のいずれかの意味又は定義が、援用文献における同一の用語のいずれかの意味又は定義と矛盾する場合には、本文書においてその用語に与えられた意味又は定義が優先するものとする。
【００５０】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１ａ】
2020507411.tif 000003
【図１ｂ】
2020507411.tif 000004
【図１ｃ】
2020507411.tif 000005
【図２ａ】
2020507411.tif 000006
【図２ｂ】
2020507411.tif 000007
【図２ｃ】
2020507411.tif 000008
【図３ａ】
2020507411.tif 000009
【図３ｂ】
2020507411.tif 000010
【図３ｃ】
2020507411.tif 000011
【図４ａ】
2020507411.tif 000012
【図４ｂ】
2020507411.tif 000013
【図４ｃ】
2020507411.tif 000014
【図５ａ】
2020507411.tif 000015
【図５ｂ】
2020507411.tif 000016
【図５ｃ】
2020507411.tif 000017
【図６ａ】
2020507411.tif 000018
【図６ｂ】
2020507411.tif 000019
【図６ｃ】
2020507411.tif 000020
【図７ａ】
2020507411.tif 000021
【図７ｂ】
2020507411.tif 000022
【図８ａ】
2020507411.tif 000023
【図８ｂ】
2020507411.tif 000024
【図８ｃ】
2020507411.tif 000025
【図９】
2020507411.tif 000026
【図１０】
2020507411.tif 000027
【図１１】
2020507411.tif 000028
【国際調査報告】
2020507411.tif 000029
2020507411.tif 000030